(57)【要約】【課題】  重量増加を低減することが可能なハードディスクドライブのスピンドルモータを提供する。【解決手段】  シャフトと，シャフトの外周に結合される固定子及び回転子とを有し，回転子の上部に着脱自在に設置されて，回転子の高さを調節する高さ調節部材を備え，スピンドルモータに装着されるデータ保存用のディスクの数を変更することができる。スピンドルモータは，回転子と高さ調節部材の外周に組み込まれたディスク間の間隔を維持させる複数のスペーサと，高さ調節部材上に配置されて，ディスクとスペーサとを固定させるクランプと，スピンドルモータの上端部に締結されて，高さ調節部材とクランプとを固定させるクランプスクリューとを更に備える。高さ調節部材の装着如何によって回転子，即ちハブの高さが調節でき，回転子に装着されるディスクの数を変更することができる。【選択図】  図３
2006318629.tif 000002
【特許請求の範囲】
【請求項１】
シャフトと，前記シャフトの外周側に結合される固定子及び回転子と，を有するスピンドルモータにおいて：
前記回転子の上部に着脱自在に設置されて，前記回転子の高さを調節する高さ調節部材を備え，前記スピンドルモータに装着されるデータ保存用のディスクの数を変更させるようにしたことを特徴とするハードディスクドライブのスピンドルモータ。
【請求項２】
前記回転子と前記高さ調節部材の外周に組み込まれて前記ディスク間の間隔を維持させる複数のスペーサと，
前記高さ調節部材上に配置されて，前記ディスクと前記スペーサとを固定させるクランプと，
前記スピンドルモータの上端部に締結されて，前記高さ調節部材と前記クランプとを固定させるクランプスクリューと，をさらに備えることを特徴とする，請求項１に記載のハードディスクドライブのスピンドルモータ。
【請求項３】
前記高さ調節部材は，円盤状の形状を有し，その中心部に前記クランピングスクリューが挿入されるスクリュー挿入ホールが形成されたことを特徴とする，請求項１または２に記載のハードディスクドライブのスピンドルモータ。
【請求項４】
前記高さ調節部材は，内径部と，外径部と，前記内径部と前記外径部との間の中間部を有し，前記内径部の中心部に前記スクリュー挿入ホールが形成され，前記外径部の外周面に少なくとも一枚のディスクと，少なくとも一つのスペーサとが組み込まれることを特徴とする，請求項１〜３のいずれかに記載のハードディスクドライブのスピンドルモータ。
【請求項５】
前記内径部及び外径部は，前記回転子の上面に接触し，前記中間部は，前記内径部及び前記外径部の垂直方向の厚さより薄く，前記回転子の上面から離隔していることを特徴とする，請求項４に記載のハードディスクドライブのスピンドルモータ。
【請求項６】
前記高さ調節部材は，前記スクリュー挿入ホールの周りに突出した突出部を有し，前記突出部は，前記クランピングスクリューの頭部に接触して垂直方向に加圧されることを特徴とする，請求項４または５に記載のハードディスクドライブのスピンドルモータ。
【請求項７】
前記高さ調節部材の外径部の高さは，少なくとも１枚のディスクの厚さと少なくとも１つのスペーサの厚さを合わせたのと同一であることを特徴とする，請求項４〜６のいずれかに記載のハードディスクドライブのスピンドルモータ。
【請求項８】
前記高さ調節部材の外周面の直径は，前記回転子の外周面の直径と同じであることを特徴とする，請求項４〜７のいずれかに記載のハードディスクドライブのスピンドルモータ。
【請求項９】
前記回転子の外周には，２枚のディスクが装着され，前記高さ調節部材の外周には，１枚のディスクが装着されることを特徴とする，請求項１〜８のいずれかに記載のハードディスクドライブのスピンドルモータ。
【請求項１０】
前記高さ調節部材は，エンジニアリングプラスチックまたは金属材料からなることを特徴とする，請求項１〜９のいずれかに記載のハードディスクドライブのスピンドルモータ。
【請求項１１】
前記金属材料は，チタンまたはアルミニウムであることを特徴とする，請求項１０に記載のハードディスクドライブのスピンドルモータ。
【請求項１２】
シャフトと，前記シャフトの外周に結合される回転子とを有するスピンドルモータ用の高さ調節部材において，
前記スピンドルモータに装着されるデータ保存用のディスクの数に応じて前記回転子の上部に装着された前記高さ調節部材が前記回転子の高さを調節することを特徴とするスピンドルモータ用の高さ調節部材。
【請求項１３】
前記高さ調節部材は，
内径部と，
外径部と，
前記内径部と前記外径部との間に中間部と，を有し，
前記外径部の外周面の周りに少なくとも一枚のディスクと，少なくとも一つのスペーサとが組み込まれることを特徴とする，請求項１２に記載のスピンドルモータ用の高さ調節部材。
【請求項１４】
前記高さ調節部材は，前記内径部の中心を貫通するスクリュー挿入ホールを有し，クランプと前記スクリュー挿入ホールを通じて前記シャフトの上端部に締結されるクランピングスクリューとによって前記回転子に固定されて，前記回転子の回転に伴い回転することを特徴とする，請求項１３に記載のスピンドルモータ用の高さ調節部材。
【請求項１５】
前記中間部は，前記内径部及び前記外径部の垂直方向の厚さより薄いことを特徴とする，請求項１３または１４に記載のスピンドルモータ用の高さ調節部材。
【請求項１６】
前記内径部及び外径部は，前記回転子の上面に接触し，前記凹型の中間部は，前記回転子の上面から所定間隔ほど離隔されたことを特徴とする，請求項１３〜１５のいずれかに記載のスピンドルモータ用の高さ調節部材。
【請求項１７】
前記内径部は，前記スクリュー挿入ホールの周りに突出した突出部を有し，前記突出部は，前記クランピングスクリューの頭部に接触することを特徴とする，請求項１４〜１６のいずれかに記載のスピンドルモータ用の高さ調節部材。
【請求項１８】
前記外径部の高さは，少なくとも１枚のディスクの厚さと少なくとも１つのスペーサの厚さを合わせたのと同一であることを特徴とする，請求項１３〜１７のいずれかに記載のスピンドルモータ用の高さ調節部材。
【請求項１９】
前記高さ調節部材の外周面の直径は，前記回転子の外周面の直径と同じであることを特徴とする請求項１２に記載のスピンドルモータ用の高さ調節部材。
【請求項２０】
上端部を有するシャフトと，
前記シャフトの外周側に結合される固定子と，
前記シャフトの外周に回転自在に装着され，前記固定子に対して回転自在に前記固定子の周りに配置される回転子と，
前記回転子の上部に装着され，その外周面に少なくとも一枚のディスクと，少なくとも一つのスペーサとを支持する高さ調節部材と，
前記高さ調節部材を前記回転子に固定させて，前記高さ調節部材が前記回転子と共に回転自在にするクランプと，を備えることを特徴とするスピンドルモータ。
【発明の詳細な説明】
【技術分野】
【０００１】
本発明は，ハードディスクドライブのスピンドルモータに係り，より詳細には，装着されるディスクの数によってハブの高さを調節できる構造を有するスピンドルモータに関する。
【背景技術】
【０００２】
コンピュータの情報保存装置の一つであるハードディスクドライブ(ＨＤＤ：Ｈａｒｄ  Ｄｉｓｋ  Ｄｒｉｖｅ）は，読み取り/書き込みヘッドを使用してディスクに保存されたデータを再生したり，ディスクにデータを記録したりする装置である。このようなＨＤＤにおいて，上記ディスクは，スピンドルモータに装着されて回転し，上記ヘッドは，回転するディスクの記録面から所定高さ浮上した状態でアクチュエータにより所望の位置に移動しながらその機能を行う。
【０００３】
図１は，従来のＨＤＤのスピンドルモータを示した断面図である。
【０００４】
図１を参照すれば，ディスク２１，２２を回転させるためのスピンドルモータ３０は，ＨＤＤのベース部材１１上に設置される。
【０００５】
上記スピンドルモータ３０は，シャフト３１と，シャフト３１の外周に結合された固定子３３及び回転子３４とを有する。上記回転子３４は，ハブとも呼ばれ，このハブ３４の外周にデータ保存用のディスク２１，２２が組み込まれる。図示されたように，スピンドルモータ３０に複数のディスク２１，２２が装着された場合には，ディスク２１，２２間の間隔を維持するためのリング状のスペーサ５０がディスク２１，２２の間に配置されるようにハブ３４の外周に組み込まれる。そして，スピンドルモータ３０の上端部には，ディスク２１，２２をスピンドルモータ３０に堅く固定させるための円盤状のクランプ６０がクランピングスクリュー７０により締結される。
【０００６】
そして，上記スピンドルモータ３０の上部には，ＨＤＤのカバー部材１２が配置される。
【０００７】
一方，ＨＤＤにおいて，ディスク上のデータ記録密度は，ここ５０年間著しく向上してきた。例えば，ノート型パーソナルコンピュータに主に使われる２.５インチＨＤＤの高さは，初期に１９ｍｍであったが，順次に１７ｍｍ，１２.５ｍｍ，そして９.５ｍｍと低くなった，これによって，現在には，図１に示されたように二枚のディスク２１，２２が内蔵され，その高さＨが９.５ｍｍであるＨＤＤが主に使われている。このようなＨＤＤの高さ変化は，ノート型パーソナルコンピュータの軽量化及び薄型化の趨勢による点もあるが，上記したようにディスクのデータ記録密度の著しい増加によって，ＨＤＤに内蔵されるディスクの数を減らすことができたことが主な要因であった。
【０００８】
しかし，２０００年以後にはディスクのデータ記録密度の増加は，次第に鈍化している。一方，インターネットの急速な拡散及び映像情報の大容量化によってＨＤＤのデータ保存容量の増加に対する消費者の要求は，持続的に拡大している。このように，データ記録密度の増加が鈍化している状況で消費者のデータ保存容量の増加に対する要求を満足させるためには，ＨＤＤに内蔵されるディスクの数を増加させるしかない。
【０００９】
例えば，図１に示された２.５インチＨＤＤにおいて，データ保存容量を増加させるためには，スピンドルモータ３０に装着された二枚のディスク２１，２２に一枚またはそれ以上のディスクを追加せねばならない。もし，ＨＤＤに３枚のディスクが内蔵される場合には，その高さＨが１２.５ｍｍとなり，スピンドルモータ３０も３枚のディスクを装着できるように変更される必要がある。その場合，スピンドルモータ３０の重量が大きく増加し，これによりベース部材１１の厚さも厚くなり，スピンドルモータ３０の駆動に必要な消費電力も増加するという問題点がある。
【００１０】
【特許文献１】米国特許第５，３８４，６７７号明細書
【発明の開示】
【発明が解決しようとする課題】
【００１１】
このように，従来のスピンドルモータによれば，データ保存容量を増加させるためにディスクの増加をするとスピンドルモータの重量とベース部材の厚さが増加し，駆動に必要な消費電力も増加するという問題がある。
【００１２】
そこで，本発明は，このような問題に鑑みてなされたもので，その目的は，回転子，すなわちハブの高さを調節できる高さ調節部材を備えることによって，装着されるディスクの数を変更することが可能な，新規かつ改良されたＨＤＤのスピンドルモータを提供することにある。
【課題を解決するための手段】
【００１３】
上記課題を解決するために，本発明のある観点によれば，シャフトと，上記シャフトの外周側に結合される固定子及び回転子と，を有するスピンドルモータにおいて：上記回転子の上部に着脱自在に設置されて，上記回転子の高さを調節する高さ調節部材を備え，上記スピンドルモータに装着されるデータ保存用のディスクの数を変更させるようにしたことを特徴とするハードディスクドライブのスピンドルモータが提供される。
【００１４】
また，上記回転子と上記高さ調節部材の外周に組み込まれて上記ディスク間の間隔を維持させる複数のスペーサと，上記高さ調節部材上に配置されて，上記ディスクと上記スペーサとを固定させるクランプと，上記スピンドルモータの上端部に締結されて，上記高さ調節部材と上記クランプとを固定させるクランプスクリューと，をさらに備えてもよい。
【００１５】
また，上記高さ調節部材は，円盤状の形状を有し，その中心部に上記クランピングスクリューが挿入されるスクリュー挿入ホールが形成されてもよい。
【００１６】
また，上記高さ調節部材は，内径部と，外径部と，上記内径部と上記外径部との間の中間部を有し，上記内径部の中心部に上記スクリュー挿入ホールが形成され，上記外径部の外周面に少なくとも一枚のディスクと，少なくとも一つのスペーサとが組み込まれてもよい。
【００１７】
また，上記内径部及び外径部は，上記回転子の上面に接触し，上記中間部は，上記内径部及び上記外径部の垂直方向の厚さより薄く，上記回転子の上面から離隔していてもよい。
【００１８】
また，上記高さ調節部材は，上記スクリュー挿入ホールの周りに突出した突出部を有し，上記突出部は，上記クランピングスクリューの頭部に接触して垂直方向に加圧されてもよい。
【００１９】
また，上記高さ調節部材の外径部の高さは，少なくとも一枚のディスクの厚さと，少なくとも一つのスペーサの厚さとの和以上であってもよい。
【００２０】
また，上記高さ調節部材の外周面の直径は，上記回転子の外周面の直径と同じであってもよい。
【００２１】
また，上記回転子の外周には，２枚のディスクが装着され，上記高さ調節部材の外周には，１枚のディスクが装着されてもよい。
【００２２】
また，上記高さ調節部材は，エンジニアリングプラスチックまたは金属材料からなってもよい。
【００２３】
また，上記金属材料は，チタンまたはアルミニウムであってもよい。
【００２４】
上記課題を解決するために，本発明の別の観点によれば，シャフトと，上記シャフトの外周に結合される回転子とを有するスピンドルモータ用の高さ調節部材において，上記スピンドルモータに装着されるデータ保存用のディスクの数に応じて上記回転子の上部に装着された上記高さ調節部材が上記回転子の高さを調節することを特徴とするスピンドルモータ用の高さ調節部材が提供される。
【００２５】
また，上記高さ調節部材は，内径部と，外径部と，上記内径部と上記外径部との間に中間部と，を有し，上記外径部の外周面の周りに少なくとも一枚のディスクと，少なくとも一つのスペーサとが組み込まれてもよい。
【００２６】
また，上記高さ調節部材は，上記内径部の中心を貫通するスクリュー挿入ホールを有し，クランプと上記スクリュー挿入ホールを通じて上記シャフトの上端部に締結されるクランピングスクリューとによって上記回転子に固定されて，上記回転子の回転に伴い回転してもよい。
【００２７】
また，上記中間部は，上記内径部及び上記外径部の垂直方向の厚さより薄くてもよい。
【００２８】
また，上記内径部及び外径部は，上記回転子の上面に接触し，上記凹型の中間部は，上記回転子の上面から所定間隔ほど離隔されてもよい。
【００２９】
また，上記内径部は，上記スクリュー挿入ホールの周りに突出した突出部を有し，上記突出部は，上記クランピングスクリューの頭部に接触してもよい。
【００３０】
また，上記外径部の高さは，少なくとも一枚のディスクの厚さと，少なくとも一つのスペーサの厚さとの和以上であってもよい。
【００３１】
また，上記高さ調節部材の外周面の直径は，上記回転子の外周面の直径と同じであってもよい。
【００３２】
上記課題を解決するために，本発明の別の観点によれば，上端部を有するシャフトと，上記シャフトの外周側に結合される固定子と，上記シャフトの外周に回転自在に装着され，上記固定子に対して回転自在に上記固定子の周りに配置される回転子と，上記回転子の上部に装着され，その外周面に少なくとも一枚のディスクと，少なくとも一つのスペーサとを支持する高さ調節部材と，上記高さ調節部材を上記回転子に固定させて，上記高さ調節部材が上記回転子と共に回転自在にするクランプと，を備えることを特徴とするスピンドルモータが提供される。
【発明の効果】
【００３３】
以上説明したように，本発明によれば，高さ調節部材の装着如何によって，回転子，すなわちハブの高さが調節できるので，回転子に装着されるディスクの数を変更することができる。これにより，ＨＤＤに装着されるディスクの数が変更しても同じスピンドルモータを使用でき，また，ＨＤＤのベース部材の変更を不要にすることができる。
【００３４】
したがって，スピンドルモータ及びベース部材の開発及び製造コストなどが節減され，ディスク数が増加してもスピンドルモータの重量増加を大きく低減することができ，ベース部材の厚さ増加もないので，消費電力の増加と衝撃特性の低下を抑制することができる。
【発明を実施するための最良の形態】
【００３５】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００３６】
本発明は，多様なサイズのＨＤＤに適用されうるが，説明及び図示の便宜上，一般的にノート型パーソナルコンピュータに使われる２.５インチＨＤＤに基づいて本発明を説明する。
【００３７】
図２は，本発明の第１実施形態によるスピンドルモータを備えたＨＤＤを示した分解斜視図であり，図３は，同実施形態にかかるスピンドルモータの断面図である。
【００３８】
図２と図３を共に参照すれば，ＨＤＤには，ベース部材１１１及びカバー部材１１２と，データ保存媒体である少なくとも一枚のディスク１２１，１２２，１２３と，上記ディスク１２１，１２２，１２３を回転させるためのスピンドルモータ１３０と，読み取り/書き取りヘッドを有するアクチュエータ１４０とが備えられる。
【００３９】
上記ベース部材１１１の上面側には，スピンドルモータ１３０及びアクチュエータ１４０などを収容するための空間が形成される。
【００４０】
上記カバー部材１１２は，複数の締結スクリュー１１９を使用して上記ベース部材１１１の上部に組み込まれて，上記ディスク１２１，１２２，１２３，スピンドルモータ１３０，及びアクチュエータ１４０などを覆い包んで保護する役割と共に，ディスクドライブ内部にホコリや湿気が流入することを防止し，ディスクドライブ内部で発生した騷音が外部に伝播されることを遮断する役割を行う。
【００４１】
本発明によるスピンドルモータ１３０は，ここに装着されるディスク１２１，１２２，１２３を回転させるためのものであって，これについては後述する。
【００４２】
上記アクチュエータ１４０は，データの記録及び再生のための読み取り/書き取りヘッドを上記ディスク１２１，１２２，１２３上の所定位置に移動させるためのものであって，スイングアーム１４２と，サスペンション１４３と，ボイスコイルモータ（ＶＣＭ）１４５とを有する。上記スイングアーム１４２は，ベース部材１１１に設置されたピボット１４１に回転自在に結合される。上記サスペンション１４３は，スイングアーム１４２の先端部に結合されて，上記ヘッドが搭載されたスライダーをディスク１２１，１２２，１２３の表面側に付勢させるように支持する。上記ボイスコイルモータ１４５は，上記スイングアーム１４２を回転させるための駆動力を提供するものであって，サーボ制御システムにより制御され，ＶＣＭコイルに入力される電流と，マグネットにより形成された磁場との相互作用によってフレミングの左手の法則による方向にスイングアーム１４２を回転させる。すなわち，ＨＤＤの電源がオンになってディスク１２１，１２２，１２３が回転し始めると，ボイスコイルモータ１４５は，スイングアーム１４２を反時計方向に回転させて，上記ヘッドをディスク１２１，１２２，１２３の記録面上に移動させる。一方，ＨＤＤの電源がオフになってディスク１２１，１２２，１２３の回転が停止すると，ボイスコイルモータ１４５は，スイングアーム１４２を時計方向に回転させて，上記ヘッドをディスク１２１，１２２，１２３から離脱させる。この時，ディスク１２１，１２２，１２３の記録面を離脱したヘッドは，ディスク１２１，１２２，１２３の外側に設けられたランプ１４６に止められる。
【００４３】
本発明によるスピンドルモータ１３０は，上記ベース部材１１１上に設置され，ここに装着されるディスク１２１，１２２，１２３の数を変更させうる構造を有することを特徴とする。
【００４４】
具体的に図３を参照して説明すると，上記スピンドルモータ１３０は，シャフト１３１と，上記シャフト１３１の外周に結合される固定子１３３及び回転子１３４と，上記回転子１３４の上部に設置される高さ調節部材１８０とを備える。
【００４５】
上記回転子１３４は，一般的にハブとも呼ばれ，その外周に少なくとも一枚のデータ保存用のディスク１２１，１２２が取り付けられる。この回転子の外周に配置されたディスクを支持する部分を回転子ディスク支持部１３４ａとする。示されたように，上記回転子１３４に複数のディスク１２１，１２２が装着された場合には，ディスク１２１，１２２間の間隔を維持するためのリング状のスペーサ１５１がディスク１２１，１２２の間に配置されるように回転子１３４の外周に組み込まれる。
【００４６】
上記高さ調節部材１８０は，上記回転子１３４の高さを調節するためのものであって，上記回転子１３４の上部に着脱自在に設置される。上記高さ調節部材１８０は，全体的に円盤状を有し，その中心部に，後述するクランピングスクリュー１７０が挿入されるスクリュー挿入ホール１８４が形成される。上記高さ調節部材１８０は，内径部１８１と，外径部１８３と，これらの間の中間部１８２を含みうる。上記内径部１８１の中心に上記スクリュー挿入ホール１８４が形成され，上記外径部１８３の外周面に少なくとも一枚のディスク１２３と，少なくとも一つのスペーサ１５２とが組み込まれる。つまり，外径部１８３の外周面に少なくとも一枚のディスク１２３と，少なくとも一つのスペーサ１５２の一側面が当接する。そして，上記スクリュー挿入ホール１８４の周りには，所定高さ突出した突出部１８５が形成されうる。上記突出部１８５は，上記クランピングスクリュー１７０の頭部に接触して垂直方向に加圧される。
【００４７】
上記内径部１８１及び外径部１８３は，比較的厚く，上記回転子１３４の上面に接触する。上記中間部１８２は，上記内径部１８１及び外径部１８３の垂直方向の厚さに比べて薄い厚さを有し，上記回転子１３４の上面から所定間隔離隔されて，回転子１３４の上面に接触していない。この場合，垂直方向とはスピンドルモータ１３０の軸方向とする。上記高さ調節部材１８０がこのような形状を持つ理由は，その重量を可能なかぎり最小化し，衝撃や振動の伝達を抑制するためである。なお，上記高さ調節部材１８０は，その重量を最小化するために，エンジニアリングプラスチックや比較的に軽い金属材料，例えばチタンやアルミニウムで製造されうる。
【００４８】
このように，上記高さ調節部材１８０を可能なかぎり軽く製造すれば，スピンドルモータ１３０の重量増加が最小化し，スピンドルモータ１３０の駆動に必要な消費電力の増加を抑制することができる。
【００４９】
そして，上記高さ調節部材１８０の外周面の直径は，上記回転子１３４の外周面の直径ｄと同一に合わせられる。この回転子の直径ｄとは回転子ディスク支持部１３４ａの部分を含まない。上記高さ調節部材１８０の外径部１８３の高さは，高さ調節部材１８０の外周に組み込まれるディスク１２３とスペーサ１５２の数によって可変的である。例えば，示されたように，上記回転子１３４の外周に二枚のディスク１２１，１２２と一つのスペーサ１５１とが組み込まれ，上記高さ調節部材１８０の外周に追加的に一枚のディスク１２３と一つのスペーサ１５２とが組み込まれる場合には，上記外径部１８３の高さは，上記ディスク１２３一枚の厚さとスペーサ１５２の一つの厚さとの和と実質的に等しい。具体的に，ディスク１２３の厚さは，約０.６３５ｍｍであり，スペーサ１５２の厚さは，約１.８５ｍｍであるので，上記高さ調節部材１８０の外径部１８３の高さは，約２.４８５ｍｍとなる。この場合，ＨＤＤの全体高さＨは，１２.５ｍｍに合わせられる。
【００５０】
一方，上記高さ調節部材１８０の外周にニ枚のディスクと二つのスペーサとが装着される場合には，上記外径部１８３の高さは，ディスク二枚の厚さとスペーサ二つの厚さとの和と等しくなる。
【００５１】
上記のような高さ調節部材１８０は，その使用如何によって，スピンドルモータ１３０に装着されるディスク１２１，１２２，１２３の数を変更できるようにする。すなわち，スピンドルモータ１３０に二枚のディスク１２１，１２２が装着される場合には，上記高さ調節部材１８０を使用せず，スピンドルモータ１３０に三枚のディスク１２１，１２２，１２３を装着する場合には，スピンドルモータ１３０に上記高さ調節部材１８０だけ結合させれば済むのである。したがって，装着されるディスク１２１，１２２，１２３の数が二つから三枚に増加しても，スピンドルモータ１３０を取り替える必要がなく，これにより，ＨＤＤのベース部材１１１も変更する必要がなくなる。
【００５２】
一方，上記高さ調節部材１８０の上部には，ディスク１２１，１２２，１２３をスピンドルモータ１３０に堅く固定させるための円盤状のクランプ１６０が設置される。そして，上記クランプ１６０は，スピンドルモータ１３０の上端部，例えばシャフト１３１の上端部に締結されるクランピングスクリュー１７０により固定される。この時，上記高さ調節部材１８０の突出部１８５がクランピングスクリュー１７０の頭部に接触して垂直方向に加圧される。したがって，上記高さ調節部材１８０も上記回転子１３４に堅く固定されるので，回転子１３４と共に回転できる。
【００５３】
上記のような本発明によれば，高さ調節部材の装着如何によって，回転子，すなわちハブの高さが調節されるので，回転子に装着されるディスクの数を変更することができる。したがって，本発明によるスピンドルモータは，相異なる数のディスクを有するＨＤＤに使用可能である。
【００５４】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００５５】
本発明は，特に回転子，すなわちハブの高さを調節できる高さ調節部材を備えることによって，装着されるディスクの数を変更できる構造を有するＨＤＤのスピンドルモータに係り，例えばＨＤＤに効果的に適用可能である。
【図面の簡単な説明】
【００５６】
【図１】従来のＨＤＤのスピンドルモータを示した断面図である。
【図２】本発明の第１実施形態によるスピンドルモータを備えたＨＤＤを示した分解斜視図である。
【図３】同実施形態にかかるスピンドルモータの断面図である。
【符号の説明】
【００５７】
１１１    ベース部材
１１２    カバー部材
１１９    締結スクリュー
１２１，１２２，１２３    ディスク
１３０    スピンドルモータ
１３１    シャフト
１３３    固定子
１３４    回転子（ハブ）
１３４ａ  回転子ディスク支持部
１４０    アクチュエータ
１４１    ピボット
１４２    スイングアーム
１４３    サスペンション
１４５    ボイスコイルモータ
１４６    ランプ
１５１，１５２    スペーサ
１６０    クランプ
１７０    クランピングスクリュー
１８０    高さ調節部材
１８１    内径部
１８２    中間部
１８３    外径部
１８４    スクリュー挿入ホール
１８５    突出部
【図１】
2006318629.tif 000003
【図２】
2006318629.tif 000004
【図３】
2006318629.tif 000005